(57)【特許請求の範囲】
【請求項１】
紙幣が挿入される紙幣挿入口と、この紙幣挿入口に連通した扁平中空状の紙幣案内通路と、この紙幣案内通路から紙幣を排出する紙幣排出口とからなり、前記紙幣案内通路を側面視湾曲形成した紙幣挿入口の構造において、前記紙幣案内通路の湾曲角度を鈍角に形成するとともに、前記紙幣案内通路の底部に、紙幣挿入方向に延在する複数本のリブと、これらリブの後端側に紙幣案内通路の湾曲部における通路間隔を狭くする凸部とを立設し、前記紙幣案内通路の紙幣挿入口側が斜め上方に指向していることを特徴とする紙幣挿入口の構造。
【請求項２】
請求項１記載の紙幣挿入口の構造において、前記凸部に係止された硬貨の上端が前記紙幣挿入口から露呈することを特徴とする紙幣挿入口の構造。
【請求項３】
請求項１または２記載のいずれかの紙幣挿入口の構造を装置本体に取り付けられた状態において、前記紙幣挿入口を床から１００ｃｍ以下に設定したことを特徴とする紙幣挿入口の構造。
【発明の詳細な説明】
【０００１】
【発明の属する技術分野】
本発明は、自動販売機やワンマンバス等に設置される料金収納装置等に設けられる紙幣挿入口の構造に関する。
【０００２】
【従来の技術】
図４ないし６は従来の紙幣挿入口の構造を示すもので、図４は平面図、図５は正面図、図６は側面図である。
図６において、符号２で示すものは、紙幣識別装置であって、中央に上下方向に延在する紙幣通路３が設けられ、この紙幣通路３の上下端は開口し、それぞれ紙幣導入口４と紙幣導出口５とが形成されている。したがって、紙幣導入口４から導入された紙幣（図示せず）は、紙幣通路３を周知の移送手段によって移送され、移送される間に図示を省略した紙幣識別部によって、紙幣の金種が識別され、紙幣導出口５から矢印Ｂ方向に導出される。７は紙幣識別装置２を図示を省略した装置本体に取付けるブラケットであって、紙幣識別装置２は紙幣通路３が鉛直方向に指向するように取付けられている。
【０００３】
全体を符号４０で示す紙幣投入口部材は、ロアーガイド部材４１とアッパーガイド部材４２とによって構成されている。ロアーガイド部材４１にはロアーガイド部４３が設けられ、このロアーガイド部４３は手前側が水平方向に延在し紙幣載置部４３ａを形成し、後部側が下方に湾曲形成され、両側端に一対の互いに対向する側部４４，４４が立設されている。
【０００４】
アッパーガイド部材４２には湾曲形成されたアッパーガイド部４５が設けられ、このアッパーガイド部材４２とロアーガイド部材４１とは、アッパーガイド部４５とロアーガイド部４３とが互いに対向するようにして、紙幣識別装置２に取付けられている。互いに対向するアッパーガイド部４５とロアーガイド部４３とによって扁平中空状の紙幣案内通路４６が形成され、この紙幣案内通路４６の前端側には紙幣挿入口４７が設けられ、後端側には前記紙幣導入口４に連通する紙幣排出口４８が設けられている。
【０００５】
このような構成において、紙幣をロアーガイド部材４１の紙幣載置部４３ａに紙幣を載置し、紙幣載置部４３ａ上を図中矢印Ａ方向に摺動させることにより、紙幣挿入口４７から紙幣案内通路４６内に挿入すると、紙幣の先端がアッパーガイド部材４２のアッパーガイド部４５に当接する。さらに紙幣を矢印Ａ方向に挿入すると、アッパーガイド部４５の湾曲部に沿って紙幣の先端が紙幣排出口４８に導かれ、紙幣識別装置２の紙幣導入口４から紙幣通路３に導入されるので、紙幣は紙幣通路内を移送され、紙幣識別部によって紙幣の金種が識別され、紙幣導出口５から矢印Ｂ方向に導出される。
【０００６】
【発明が解決しようとする課題】
しかしながら、上述した従来の紙幣挿入口の構造においては、ロアーガイド部材４１の紙幣載置部４３ａが水平方向に延在し、かつ紙幣識別装置２の紙幣通路３が鉛直方向に指向していることにより、紙幣案内通路４６の湾曲角度Ｄが直角に形成されている。このため、紙幣挿入口４７から紙幣案内通路４６に挿入された紙幣はこの紙幣案内通路４６の湾曲部において、挿入方向が大きく変えられるために、紙幣の挿入がしずらいという問題があった。
【０００７】
本発明は上記した従来の問題に鑑みなされたものであり、その目的とするところは、紙幣の挿入を容易にした紙幣挿入口の構造を提供することにある。
【０００８】
【課題を解決するための手段】
この目的を達成するために、請求項１に係る発明は、紙幣が挿入される紙幣挿入口と、この紙幣挿入口に連通した扁平中空状の紙幣案内通路と、この紙幣案内通路から紙幣を排出する紙幣排出口とからなり、前記紙幣案内通路を側面視湾曲形成した紙幣挿入口の構造において、前記紙幣案内通路の湾曲角度を鈍角に形成するとともに、前記紙幣案内通路の底部に、紙幣挿入方向に延在する複数本のリブと、これらリブの後端側に紙幣案内通路の湾曲部における通路間隔を狭くする凸部とを立設し、前記紙幣案内通路の紙幣挿入口側が斜め上方に指向している。
したがって、紙幣挿入口から紙幣案内通路に挿入された紙幣は、この紙幣案内通路の湾曲部において、挿入方向が緩やかに変えられる。また、誤って硬貨が紙幣挿入口から紙幣案内通路に挿入されても、凸部と紙幣案内通路の内壁とによって硬貨が係止される。さらに、前記紙幣挿入口への挿入方向が上方から斜め下方に向かう。
【０００９】
また、請求項２に係る発明は、請求項１に係る発明において、前記凸部に係止された硬貨の上端が前記紙幣挿入口から露呈する。
したがって、凸部に係止された硬貨を把持できる。
【００１０】
また、請求項３に係る発明は、請求項１または２記載のいずれかの発明を装置本体に取り付けられた状態において、前記紙幣挿入口を床から１００ｃｍ以下に設定したものである。
したがって、紙幣挿入口が利用者の目線よりも下方に位置付けられる。
【００１２】
【発明の実施の形態】
以下、本発明の実施の形態を図に基づいて説明する。図１（ａ）は本発明に係る紙幣挿入口の構造の平面図、同図（ｂ）は同図（ａ）におけるI（ｂ）-I（ｂ）線断面図である。図２（ａ）は同じく正面図、同図（ｂ）は側面図である。図３は本発明に係る紙幣挿入口の構造が内蔵された料金収納装置の全体の外観を示す斜視図である。これらの図において、上述した図４ないし６に示す従来技術において説明した同一または同等の部材については同一の符号を付し詳細な説明は適宜省略する。
【００１３】
図１（ｂ）において、全体を符号１０で示す紙幣挿入口部材は、ロアーガイド部材１１とアッパーガイド部材１２とによって構成されている。ロアーガイド部材１１にはロアーガイド部１５が設けられ、このロアーガイド部１５は手前側（図中矢印Ａと反対方向）に向かって角度αだけ上方に傾斜するように指向し紙幣載置部１５ａを形成し、後部側が下方側に向かって湾曲形成され、両側端に一対の互いに対向する側部１６，１６が立設されている。このロアーガイド部材１１のロアーガイド部１５の底部には矢印Ａ方向に向かって、複数本のリブ１７が突設され、これらリブ１７の後端側には、ロアーガイド部１５の湾曲部に対応して、側面視三角形の凸部１８が突設されている。
【００１４】
アッパーガイド部材１２には湾曲形成されたアッパーガイド部２０が設けられ、このアッパーガイド部材１２とロアーガイド部材１１とは、アッパーガイド部２０とロアーガイド部１５とが互いに対向するようにして、紙幣識別装置２に取付けられている。互いに対向するアッパーガイド部２０とロアーガイド部１５とによって扁平中空状の紙幣案内通路２５が形成され、この紙幣案内通路２５の前端側には紙幣挿入口２６が設けられ、後端側には前記導入口４に連通する紙幣排出口２７が設けられている。
【００１５】
この状態で、ロアーガイド部材１１の凸部１８が紙幣案内通路２５の湾曲部に位置付けられ、この凸部１８の先端とアッパーガイド部２０の内壁との間隔δが紙幣案内通路２５の間隔よりも狭くなり、紙幣挿入口２６から誤って挿入された硬貨２８は凸部１８とアッパーガイド部２０の内壁とによって係止される。また、このとき、硬貨２８の上端２８ａが紙幣挿入口２６から露呈するような寸法に設定されている。
【００１６】
したがって、誤って、紙幣挿入口２６から硬貨２８が挿入されたとしても、硬貨２８が紙幣識別装置２の紙幣通路３に導入されるようなことがないので、硬貨詰まりや紙幣識別装置２の作動不良も防止できる。また、紙幣挿入口２６から露呈した硬貨２８の上端２８ａを手で把持することができるので、紙幣挿入口２６から硬貨２８を容易に取り除くことができる。
【００１７】
また、図１（ｂ）に示すように、紙幣識別装置２は紙幣通路３が鉛直方向より角度βだけ手前側、すなわち紙幣挿入口２６側に傾斜するようにして、ブラケット７を介して装置本体２９に取付けられている。上述したように、紙幣載置部１５ａが手前側に向かって角度αだけ上方に傾斜するように指向していることにより、紙幣案内通路２５の湾曲部の湾曲角度Ｃは鈍角に形成されている。したがって、紙幣挿入口２５から挿入された紙幣は、紙幣案内通路２５の湾曲部において挿入方向の変化が緩やかになるため、紙幣の挿入が容易になる。
【００１８】
このことは、紙幣載置部１５ａが手前側に向かって角度αだけ上方に傾斜するように指向していることにより、紙幣挿入口への挿入方向が上方から斜め下方に向かうので、紙幣を紙幣挿入口２６へ挿入する作業がより容易になる。
【００１９】
図３において、３１は上述した紙幣識別装置２と紙幣挿入口部材１０が内蔵された料金収納装置であって、上部に券と硬貨を投入する券銭投入口部材３２、両替用投入口３３、カードリーダ３４、紙幣挿入口２６とこれらに投入された硬貨、カード、紙幣の額を表示する表示部３５が設けられている。３６は券銭投入口３２および両替用投入口３３から投入された異硬貨を返却する返却口、３７は紙幣挿入口２６から挿入された紙幣に対して両替用の硬貨を排出する紙幣両替排出口である。
【００２０】
そして、この料金収納装置３１が設置された床から紙幣挿入口２６までの高さＨが、１００ｃｍ以下になるように設定されている。したがって、紙幣挿入口２６が利用者の目線よりも低い位置に位置付けられることになり、上述したように、紙幣載置部１５ａが手前側に向かって角度αだけ上方に傾斜するように指向していることにより、従来のように紙幣載置部４３ａが水平方向に延在している場合と比較して、紙幣挿入口２６へ紙幣を挿入する作業がより容易になる。
【００２１】
【実施例】
αを２０°とした。また、成人から子供までの広い範囲の身長を考慮してＨを６０〜７０ｃｍとした。
【００２２】
なお、紙幣識別装置２の紙幣通路３を鉛直方向より角度βだけ手前側に傾斜させたが、必ずしも紙幣通路３を角度β傾斜させることはなく、紙幣載置部１５ａが手前側に向かって角度αだけ上方に傾斜するように指向していることにより、紙幣案内通路２５の湾曲部の湾曲角度Ｃが鈍角に形成されればよい。
【００２３】
【発明の効果】
以上説明したように、請求項１に係る発明によれば、紙幣の挿入が容易になるだけでなく、硬貨が誤って挿入されても紙幣挿入口近くで係止することができる。また、紙幣挿入口への紙幣の挿入がより容易になる。
【００２４】
また、請求項２に係る発明によれば、誤って挿入された硬貨を紙幣挿入口から容易に取り除くことができる。
【００２５】
また、請求項３に係る発明によれば、紙幣挿入口への紙幣の挿入がより容易になる。
【図面の簡単な説明】
【図１】  同図（ａ）は本発明に係る紙幣挿入口の構造の平面図、同図（ｂ）は同図（ａ）におけるI（ｂ）-I（ｂ）線断面図である。
【図２】  同図（ａ）は本発明に係る紙幣挿入口の構造の正面図、同図（ｂ）は側面図である。
【図３】  本発明に係る紙幣挿入口の構造が内蔵された料金収納装置の全体の外観を示す斜視図である。
【図４】  従来の紙幣挿入口の構造の平面図である。
【図５】  従来の紙幣挿入口の構造の正面図である。
【図６】  従来の紙幣挿入口の構造の側面図である。
【符号の説明】
２…紙幣識別装置、３…紙幣通路、４…紙幣導入口、５…紙幣導出口、１０…紙幣挿入口部材、１１…ロアーガイド部材、１２…アッパーガイド部材、１５…ロアーガイド部、１５ａ…紙幣載置部、１８…凸部、２０…アッパーガイド部、２５…紙幣案内通路、２６…紙幣挿入口、２７…紙幣排出口、２８…硬貨、３１…料金収納装置。
【図１】
0004042334.tif 000002
【図２】
0004042334.tif 000003
【図３】
0004042334.tif 000004
【図４】
0004042334.tif 000005
【図５】
0004042334.tif 000006
【図６】
0004042334.tif 000007